(57)【特許請求の範囲】
【請求項１】
ラックの細長いスロット内にプリント回路基板をロックするためのくさび装置であって、
第１及び第２の細長い壁部と第１及び第２の端部を具えた細長い中央くさびを有し、前記端部は傾斜表面を有し、前記中央くさびにはチャンネルが形成されており、前記中央くさびは前記プリント回路基板の端部に固定されていて前記中央くさびの実質的全長にわたり前記壁部に形成された溝を有し、さらに、
前記中央くさびの両端部に配置され前記中央くさびの傾斜表面と係合する表面を具えた第１及び第２の端部くさびを有し、さらに、
第１及び第２端部くさびを相互連結させるねじを有し、該ねじが第１の方向に回転させられると前記２つの端部くさびが互いに引き寄せられて前記端部くさびと前記ねじが前記中央くさびの傾斜表面によって前記ねじの長手方向と垂直な方向にずれ、前記プリント回路基板が前記ラックの細長いスロット内にロックされるようになっている、
装置。
【請求項２】
前記第１、第２壁部に形成された凹部が前記溝を中断させている、請求項１の装置。
【請求項３】
前記第１、第２端部くさびを前記中央くさびと長手方向に整列させるように付勢する手段を有する、請求項２の装置。
【請求項４】
前記付勢手段がばね手段からなる、請求項３の装置。
【請求項５】
前記付勢手段が前記中央くさびに形成されたチャンネル内に前記ねじを拘束するようになっている、請求項３の装置。
【請求項６】
前記付勢手段が第１、第２の細長い端部を有し、前記第１の細長い端部が前記第１壁部に形成された前記第１の溝内に入れられ、前記第２の細長い端部が前記第２壁部に形成された前記第２の溝に入れられるようになっている、請求項３の装置。
【請求項７】
前記付勢手段が第１、第２フランジを有する基部を有し、前記第１フランジが前記第１壁部の凹部に向かって延び、前記２フランジが前記第２壁部の凹部に向かって延びる、請求項６の装置。
【発明の詳細な説明】
【０００１】
【発明の属する技術分野】
本発明は、プリント回路基板を所定の位置に取付けるように横方向に拡張する細長いくさび集合体と、中央部分に作動シャフトを拘束させるとともにくさび部分を整列させるばね部材を含むプリント回路基板取付装置の技術分野に属する。
【０００２】
【従来の技術】
プリント回路基板（ＰＣＢ）を所定の位置に固定するように横方向に拡張する細長いくさび集合体が従来技術において利用されている。例えば、米国特許第 4,775,260号は、位置決めねじに作用する最大トルクを制限するクラッチ機構を含む装置を開示している。付勢ばねが、くさびを長手方向に整列させるように付勢するために設けられている。しかし、締め込みねじを修理又は取替の目的のために取り外すためには、集合体全体をプリント回路基板から取り外さなければならない。米国特許第4,354,770 号は、中央くさび部材がハウジング及びくさび部材に形成されている整列する凹部を通して位置決めされるガイドピンによって開口凹部内に固定されるくさび集合体を開示している。また、リース氏による米国特許第5,156,647号及び5,253,963号は、ねじ組立体が一対のフィンガー部材によって主要くさび内に保持されるスナップ式のくさびロック装置を開示している。他の従来技術の装置は、ねじ及びくさび集合体を拘束するために主要中央部分の壁を幅狭にしたり、縁曲げしたりする。
【０００３】
望まれていることは、中央くさび部分がプリント回路基板に固定された状態を保持したままで、端部くさび部分を含むねじ組立体を必要時に取り外すことが可能な、改良されたこの種のくさび集合体を提供することである。
【０００４】
【本発明の概要】
本発明は、プリント回路基板にリベット止めされた中央部分を有するプリント回路基板のくさび集合体を提供する。その中央部分は、くさび集合体全体に亘って長手方向に延びるくさび作動シャフトを、障害なく中央部分開口部に配置することができるように設計されている。付勢ばねがスロットに配置され、中央部分に切り込まれている溝に沿って所定位置に移動される。ばねは、作動シャフトを中央部分に拘束させ、くさび部分全体を整列させる。
【０００５】
本発明の集合体は、このようにして、くさび作動シャフトと取付けられているくさび集合体の中央部分をプリント回路基板に固定されている主要中央ハウジングから容易に分離させることができ、かくして、締め込みねじを取り外すことに通常伴う時間と手間を省くことができる。
【０００６】
【発明の実施の形態】
図面を参照すると、図示されていないシャーシー又はラックに形成されている細長いスロットにプリント回路基板（ＰＣＢ）を保持させる際に使用するための本発明の教示によって構成されたロック用くさび集合体が示されている。
【０００７】
このスロットは、プリント回路基板の端部とロック用くさび集合体１０の両方を収容するために、プリント回路基板の厚さよりも幅が広い。集合体１０は、プリント回路基板の端部１６にねじ又はリベット１４によって固定されることができる細長い中央くさび１２を含む。中央くさび１２は、その両端部に傾斜表面１８及び２０を有している。本発明の教示によれば、図示されているように、スロット、すなわち、凹部２２が中央くさび１２に形成されている。さらに、図示されているように、溝２４及び２５が、中央くさび部分１２にその長さ全体に沿って形成されている。協働する第１、第２端部くさび２６と２８は、中央くさび部分１２の傾斜表面１８と２０に、各々当接する傾斜表面３０と３２を、それぞれ有している。くさび作動シャフト、すなわち、スタッド集合体３４が、両端部くさび２６及び２８を相互連結するように、中央くさび部分１２内の細長い通路、すなわち、チャンネル３６を貫通して延びている。ねじ頭部３８は、第２端部くさび２６に当っている。ねじ３４の他端部は、図示されているように、第１端部くさび２８から僅かに突き出ている。スタッド集合体３４を一方向（例えば、時計回り）に回転させると、２つの端部くさび２６と２８が互いに向かって近付くように引き寄せられ、両端部くさびとねじに、中央くさび１２に相対的な横方向へのずれを生じさせる。これは、集合体の実質的な横幅を増加させ、それによって、プリント回路基板をスロット内にロックさせる。反対に、スタッド集合体３４を反対方向に回転させると、２つの端部くさび２６と２８は互いに離れていき、集合体は緩められ、スロットからプリント回路基板を取り外すことができる。
【０００８】
本発明によれば、集合体は、さらに、細長い部材、すなわち、板ばね４１及び４３と、基部４５と、タブ、すなわち、フランジ４７と４９を有する薄板状のばね４０を具えている。長手方向の作動スタッド３４が中央部分１２に形成されているチャンネル３６に配置された後、ばね４０のフランジ４７と４９がスロット、すなわち、凹部２２に入れられると、タブ４７と４９を、中央部分１２に形成されている各々の溝の長手方向の全体長さに沿って、溝２４と２５内に、各々、挿入することができる。板ばね４０は、以下のようにして、中央部分１２に挿入される。
【０００９】
タブ４７と４９をスロット２２上に置き、細長い部材４１と４３をチャンネル３６の方向に沿わせて、中央部分１２に配置する。
【００１０】
使用者は、それから、タブ４７と４９が対応する凹部２２に入るように、ばね４０の中央部である基部４５を押し下げる。押し下げられると、ばね４０は、くさび部２６と２８方向に滑動し、タブ４７と４９が溝２４と２６内を滑動する。ばね４０は、板ばね部４１と４３がスタッド３４の上部に来るように、中央部分１２内のどこにでも配置される。
ばね４０を外すには、板ばね部４３がくさび２８から離れるように持ち上げ、タブ４７と４９がスロット２２を通じて抜けるまで、その方向に滑らせる。
【００１１】
このように、ばね４０は、中央部分１２にシャフト集合体３４と端部くさび２６及び２８を拘束し、端部くさび部分を中央部分１２に整列させる機能を果たし、それによって、シャーシーのスロットへのプリント回路基板とくさび集合体の当初の取付けを容易にしている。
【００１２】
作動シャフト集合体３４は、このように、中央部分が狭められたり縁曲げされが端部のような障害を有さずに設計されているために、中央部分に容易に配置されることが可能である。
【００１３】
本発明は、このように、くさび端部部分とともに組立られ、一方の端部に具えられているねじ頭部ともう一方の端部に具えられているねじ山によって規制される固定用ねじの組立と取り外しを容易にする、簡便で費用効率のよいやり方を提供している。
【００１４】
本発明を、好適実施例について説明したが、本発明の趣旨及びその範囲から逸脱することなく数多くの変更を行うことができることは当業者には理解されるであろう。さらに、特別な状況に応じて、本質から逸脱しないで、変更をなしうるものである。
【図面の簡単な説明】
【図１】  本発明の教示によるロック用くさび集合体の斜視図。
【図２】  図１のロックくさび集合体の平面図。
【図３】  プリント回路基板に締め付けられている状態の図１のロック用くさび集合体の長手方向断面図。
【図４】  締め込みねじと取付けられたくさびが、スロットに取付けられた集合体の中央部分に取付けられるところを示す斜視図。
【図５】  中央部分に切り込まれている溝に付勢ばねを配置するところを示す斜視図。
【符号の説明】
１０          ロック用くさび集合体
１２          細長い中央くさび
１８，２０    傾斜表面
２２          スロット
２４，２５    溝
２６，２８    端部くさび
３０，３２    傾斜表面
３４          くさび作動シャフト
３６          チャンネル
４０          ばね
【図１】
0003936003.tif 000002
【図２】
0003936003.tif 000003
【図３】
0003936003.tif 000004
【図４】
0003936003.tif 000005
【図５】
0003936003.tif 000006